【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
同時に多数のプレフォームを受け取るためにマトリックス状配置形態のように配置された複数の加熱ブッシュを有するファイバ炉；
複数のプレフォームを保持し前記複数の加熱ブッシュ内へ各々給送するように構成された追従装置；
引取・サイジング装置によって受け取られたときに複数のガラス・ファイバが帯状に互いに隣り合って置かれるように、前記複数の加熱ブッシュ内の複数のプレフォームから引き取られた複数のガラス・ファイバを受け取るように構成された引取・サイジング装置；及び
前記引取・サイジング装置から複数のガラス・ファイバを受け取るように構成された組立装置
を含む複数の光ガラス・ファイバを製造するための装置。
【請求項２】
前記マトリックス状配置形態は、互いに対して所定のオフセット角度で配置された複数の主マトリックス軸を有する、請求項１に記載の装置。
【請求項３】
前記複数の加熱ブッシュは、マトリックス状配置形態が菱形形状を形成するように配置されている、請求項１又は２に記載の装置。
【請求項４】
前記マトリックス状配置形態は複数のマトリックス軸を有し；また、前記複数の加熱ブッシュは、前記各マトリックス軸上の加熱ブッシュの直に隣り合うもの同士の間のそれぞれの距離が実質的に同一であるように配置されている、請求項１乃至３のいずれか一項に記載の装置。
【請求項５】
前記複数の加熱ブッシュは１つの平面に配置されている、請求項１乃至４のいずれか一項に記載の装置。
【請求項６】
前記ファイバ炉は、複数の多成分ガラス・ファイバを製造するために複数のプレフォームを受け取るように構成されており、前記加熱ブッシュの各々は、それに割り当てられた共同する１つのプレフォームを有する、請求項１乃至５のいずれか一項に記載の装置。
【請求項７】
前記ファイバ炉は少なくとも１１０の加熱ブッシュを有する、請求項１乃至６のいずれか一項に記載の装置。
【請求項８】
前記マトリックス状配置形態は第１の主マトリックス軸と第２の主マトリックス軸を有し、かつ、前記マトリックス状配置形態は、複数の加熱ブッシュのうち第１の主マトリックス軸の方向へは１０個配置され、第２の主マトリックス軸の方向へは１１個配置されている、請求項７に記載の装置。
【請求項９】
前記ファイバ炉は、加熱ブッシュ内の温度を個々に制御するように構成された個々の制御器を有する温度制御器を含んでいる、請求項１乃至８のいずれか一項に記載の装置。
【請求項１０】
前記個々の制御器は、隣接する複数の加熱ブッシュの温度に関連して前記加熱ブッシュ内の温度を調節するためのそれぞれの測定・補整装置を有する、請求項９に記載の装置。
【請求項１１】
前記加熱ブッシュの各々は少なくとも１つの加熱要素を有し；また、前記加熱ブッシュの各々は、熱輻射を拡散するために、上記少なくとも１つの加熱要素と複数のプレフォームのうちのそれぞれ１つとの間に設けられた少なくとも１つの拡散器を有する、請求項１乃至１０のいずれか一項に記載の装置。
【請求項１２】
前記加熱ブッシュの各々は多数の別々に励起できる加熱コイルを有し；また、前記加熱ブッシュの各々は、熱輻射を拡散するために、加熱コイルと複数のプレフォームのうちのそれぞれ１つとの間に設けられた少なくとも１つの拡散器を有する、請求項１乃至１０のいずれか一項に記載の装置。
【請求項１３】
前記少なくとも１つの拡散器は、石英ガラス管を含んでおり；また、前記追従装置は、プレフォームの対応する１つが石英ガラス管をそれぞれ通過するように複数のプレフォームを給送する、請求項１１又は１２に記載の装置。
【請求項１４】
前記加熱ブッシュの各々は、加熱ブッシュの各々１つの中に空気層流を作るためのフロー装置を有する、請求項１乃至１３のいずれか一項に記載の装置。
【請求項１５】
前記フロー装置は、前記加熱ブッシュの各々１つの下部に設けられた延長部を含んでおり、かつ少なくとも１つの拡散器と上記延長部は別部材からなるか又は一体要素を形成しており；該延長部はそれに割り当てられた加熱要素を有していない、請求項１４に記載の装置。
【請求項１６】
前記フロー装置は、前記加熱ブッシュの各々１つの上端部に配置された少なくとも１つの流れ邪魔板を含んでおり、所定の隙間幅を有する環状の空隙が、複数のプレフォームの各々１つと前記少なくとも１つの流れ邪魔板との間に形成され、環状の空隙を通して通風するように構成されている、請求項１４又は１５に記載の装置。
【請求項１７】
前記追従装置は、個々にプレフォームを受け取るための個々の吊下げ具を備えた支持プレートを有する、請求項１乃至１６のいずれか一項に記載の装置。
【請求項１８】
前記支持プレート上の前記個々の吊下げ具は、前記複数の加熱ブッシュによって形成された前記マトリックス状配置形態に対応するマトリックス状配置形態を形成する、請求項１７に記載の装置。
【請求項１９】
前記個々の吊下げ具の各々は、中央真空システムに個々のプレフォームのそれぞれ１つを接続するための真空接続を有する、請求項１７又は１８に記載の装置。
【請求項２０】
前記追従装置は歯車モータ、ねじ付きスピンドル及びガイドを含んでおり；該歯車モータは、複数のプレフォームを前進させるために上記ねじ付きスピンドル及び上記ガイドを介して前記支持プレートを選択的に駆動し、ブレーキをかけるように構成されている、請求項１７乃至１９のいずれか一項に記載の装置。
【請求項２１】
前記支持プレートは、手動により又は自動的にサービス位置へ移動可能なように構成されている、請求項１７乃至２０のいずれか一項に記載の装置。
【請求項２２】
前記ファイバ炉は、前記複数のガラス・ファイバの遅延冷却用のエア・クッションを作るために、前記各加熱ブッシュの出力端に配置されたフロー・カラー部を有する、請求項１乃至２１のいずれか一項に記載の装置。
【請求項２３】
複数のガラス・ファイバを冷却するために前記ファイバ炉の下流に冷却ゾーンが設けられている、請求項１乃至２２のいずれか一項に記載の装置。
【請求項２４】
前記冷却ゾーンは、前記引取・サイジング装置の上流に配置された漏斗を含んでおり、複数のガラス・ファイバが該漏斗を通過するように構成されている、請求項２３に記載の装置。
【請求項２５】
前記引取・サイジング装置は、第１のサイジング・ローラ及び第２のサイジング・ローラを含んでおり、これらのローラは、前記ファイバ炉の最初の半分からの複数のガラス・ファイバが上記第１のサイジング・ローラ上を通り、前記ファイバ炉の第２の半分からの複数のガラス・ファイバが上記第２のサイジング・ローラ上を通るように配置されている、請求項１乃至２４のいずれか一項に記載の装置。
【請求項２６】
前記引取・サイジング装置は、各主マトリックス軸に対して所定の角度で配置された複数のサイジング・ローラを含んでいる、請求項２乃至２５のいずれか一項に記載の装置。
【請求項２７】
追従装置により、ファイバ炉の複数の加熱ブッシュ内へ複数のプレフォームを各々導入し；
複数の加熱ブッシュから所定の一定の直径を有する複数のガラス・ファイバを引き取ることにより、複数のプレフォームから複数のガラス・ファイバを製造し；
複数のガラス・ファイバが交差したり互いに接触したりせずに引き取られることを確実にする配置形態のように複数の加熱ブッシュを設け；
ファイバ炉の下流の冷却ゾーンで所定の方法で複数のガラス・ファイバを冷却し；そして
引取装置を介して複数のガラス・ファイバを組立装置へ送る
ことを含む、複数のガラス・ファイバを製造する方法。
【請求項２８】
前記加熱ブッシュのうちの共同する１つの中の制御された温度分布でプレフォームの各々を引き取る、請求項２７に記載の方法。
【請求項２９】
追従装置の支持プレートで複数のプレフォームを保持し；該支持プレートの制御された前進でプレフォームの各々を引き取る、請求項２７又は２８に記載の方法。
【請求項３０】
所定の温度分布にわたって複数のガラス・ファイバを冷却する、請求項２７乃至２９のいずれか一項に記載の方法。
【請求項３１】
冷却ゾーンの下流に設けられたサイジング装置の複数のサイジング・ローラ上を帯状に複数のガラス・ファイバを回転させることにより、複数のガラス・ファイバをサイズ剤で一様に濡らす、請求項２７乃至３０のいずれか一項に記載の方法。
【請求項３２】
１つの引取ローラを用いて実質的に同一の引取速度で複数のガラス・ファイバの各々を引き取る、請求項２７乃至３１のいずれか一項に記載の方法。
【請求項３３】
電子データ処理装置を用いて、各加熱ブッシュ内の温度を制御し、及び／又は引取ローラの引取速度及び支持プレートの前進を制御する、請求項２７乃至３２のいずれか一項に記載の方法。
【請求項３４】
組立装置により、組立装置の上流にある装置にどのような反作用も引き起こすことなく複数のガラス・ファイバを組み立てる、請求項２７乃至３３のいずれか一項に記載の方法。
【請求項３５】
プレフォームを受け取るように構成され、かつ、加熱要素と、熱輻射を拡散するために上記加熱要素とプレフォームとの間に設けられた拡散器とを有する加熱ブッシュを含む加熱ブッシュの配置形態。
【請求項３６】
前記加熱要素は別々に励起することができる加熱コイルを含んでいる、請求項３５に記載の加熱ブッシュ配置形態。
【請求項３７】
前記拡散器は、プレフォームが石英ガラス管の中を通して送られるように配置された石英ガラス管を含んでいる、請求項３５又は３６に記載の加熱ブッシュ配置形態。
【請求項３８】
前記加熱ブッシュは、前記加熱ブッシュ内に空気層流を作るためのフロー装置を有する、請求項３５乃至３７のいずれか一項に記載の加熱ブッシュ配置形態。
【請求項３９】
前記フロー装置は、前記加熱ブッシュの下部に設けられた延長部を含んでおり、かつ前記拡散器と上記延長部は別部材からなるか又は一体要素を形成しており、該延長部はそれに割り当てられた加熱要素を有していない、請求項３８に記載の加熱ブッシュ配置形態。
【請求項４０】
前記フロー装置は、前記加熱ブッシュの上端部に配置された少なくとも１つの流れ邪魔板を含んでおり、所定の隙間幅を有する環状の空隙が、プレフォームと上記少なくとも１つの流れ邪魔板との間に形成され、環状の空隙を通して通風するように構成されている、請求項３８又は３９に記載の加熱ブッシュ配置形態。